(57)【要約】【課題】振動を利用して被施療者の施療部位について血行、コリ、疲労感を改善する振動マッサージ器と、これを用いた振動式のマッサージ器を提供する。【解決手段】タタキ玉１、ソレノイド２とそのプランジャ２ａ、磁界発生用のコイル３、ソレノイドフレーム４、サーマルプロテクタ５、発泡ウレタンカバー６からなるタタキ玉構造４０を複数個用い、レザーカバー３１内に収納して一つの装置とする。位相制御された電力の供給を受け駆動されるソレノイド２は発熱するが、ソレノイド２と発泡ウレタンカバー６との間に金属シャーシ１０を介在させ、発泡ウレタンカバー６に多数の開放穴１１を設けることで、冷却効果が高まり、長時間の使用が可能になる。【選択図】図４
2011067408.tif 000002
【特許請求の範囲】
【請求項１】
タタキ玉と該タタキ玉の駆動源を有する振動ユニットと、
該振動ユニットを１個以上実装する金属製のシャーシと、
前記実装した振動ユニットの前記タタキ玉を露出させ、前記シャーシを囲繞する断熱性の被覆材と、
これら振動ユニット、シャーシ、被覆材を覆うカバー材からなり、
前記被覆材に、弾性と断熱性を有するクッション材を用いてなる、
ことを特徴とするマッサージ器。
【請求項２】
請求項１のマッサージ器において、
前記クッション材が、１個以上の放熱用の開口あるいは穴、凹みを有することを特徴とするマッサージ器。
【請求項３】
請求項１または２のマッサージ器において、
前記クッション材が発泡材であることを特徴とするマッサージ器。
【請求項４】
請求項３のマッサージ器において、
前記発泡材が発泡ウレタンであることを特徴とするマッサージ器。
【請求項５】
請求項１から４のいずれかのマッサージ器において、前記駆動源としてソレノイドを用いることを特徴とするマッサージ器。
【請求項６】
請求項１から５のいずれかのマッサージ器において、
全体概観の平面形状が矩形または略矩形で、少なくとも前記振動ユニットを収納可能な高さ寸法を有する薄い直方体状のマット形態を有することを特徴とするマッサージ器。
【請求項７】
請求項１から５のいずれかのマッサージ器において、
全体概観の平面形状が矩形または略矩形以外の形状で、少なくとも前記振動ユニットを収納可能な高さ寸法を有する薄い直方体状のマット形態を有することを特徴とするマッサージ器。
【請求項８】
請求項１から７のいずれかのマッサージ器において、
前記カバー材に１個以上の持ち手部を形成してなることを特徴とするマッサージ器。
【請求項９】
請求項８のマッサージ器において、
前記持ち手部を高さ方向をなす側面のうちの相隣る２側面にそれぞれ設けてなることを特徴とするマッサージ器。
【発明の詳細な説明】
【技術分野】
【０００１】
本発明は、振動を利用して被施療者の施療部位について血行、コリ、疲労感を改善する振動マッサージ器と、これを用いた振動式のマッサージ器の放熱構造と、この構造を採用したマッサージ器に関する。
【背景技術】
【０００２】
上述のような振動式のマッサージ器（マッサージ装置等の類似の名称を使用するものも含む）では、モータやソレノイドなどをタタキ玉の駆動源として組み込み、その周囲を発泡ウレタンなど断熱性と弾性とを有する素材で覆い、タタキ玉を上下動させるなどしてその振動を利用するものや、複数の振動を干渉させて共鳴振動を利用するものなどが知られている。
【０００３】
図１は、従来公知のマッサージ器のタタキ玉の周囲構造を示す透視図である。図中１はタタキ玉、２はこれを上下に駆動するソレノイド、２ａはそのプランジャ、３は磁界発生用のコイル、４はプランジャ２ａやコイル３を収納したソレノイドフレーム、５はソレノイドフレーム４に組み込んだサーマルプロテクタ、そして６はタタキ玉１の動作粋の開口７を残して上述の各要素を囲繞する発泡ウレタン性のカバー（以下では発泡ウレタンカバーと言う。）である。なお、実際にマッサージ器として使用する際は、この構造のものをひとつの要素とし、これを複数個用い、合成皮革などからなる外被カバー材などの内部に収納して一つの装置として用いる。
【０００４】
発泡ウレタンカバー６は、位相制御された電力の供給を受け駆動されるソレノイド２の全体、その他を包み、そのクッション性と断熱性とを利用し、マッサージ器として使用する際のソレノイド２の発熱が使用者に伝わりにくいようにしているものである。
【先行技術文献】
【特許文献】
【０００５】
【特許文献１】実用新案登録第３１０２６８３号公報
【特許文献２】特表２００５−５２５８７２号公報
【特許文献３】特許第３７４３１６０号公報
【特許文献４】特開平１０−３３６１２号公報
【特許文献５】特許第３９４９０７１号公報
【特許文献６】特許第３１２０８０３号公報
【発明の概要】
【発明が解決しようとする課題】
【０００６】
ところで発泡ウレタンカバー６は、クッション性と同時に断熱材としての性質を強く持ち、その断熱性のために、温度上昇が早い。したがって、使用者が心地よいタタキ強度で使用し続けてしまうと、使用時間が所定時間内(例えば30分)であっても、ソレノイド２の温度が安全範囲を超えてしまう事態が生じることがあった。
【０００７】
そのため、装置を再使用するには、ソレノイド２の温度が下がり、使用に適する温度に冷えるまでの待ち時間を要するが、断熱性の強い発泡ウレタンカバー６で囲まれているため、冷却時間が長かった。
【０００８】
また温度上昇対策としては、発火の危険等からコイル３の一部に取り付けたサーマルプロテクタ５でソレノイド２の駆動回路を遮断するようにしているが、この方法では、安全性がサーマルプロテクタ５の性能に依存してしまうという危うさがあり、かつ装置の連続長時間使用を難しくしてしまうものとなっていた。
【０００９】
そこで本発明は、ソレノイドが発生させる熱の放熱面を広げて冷却効果を高めたマッサージ器の放熱構造と、これを用いたマッサージ器を提供することを目的とする。
【課題を解決するための手段】
【００１０】
本発明のマッサージ器のうち請求項１に係るものは、タタキ玉と該タタキ玉の駆動源を有する振動ユニットと、該振動ユニットを１個以上実装する金属製のシャーシと、前記実装した振動ユニットの前記タタキ玉を露出させ、前記シャーシを囲繞する断熱性の被覆材と、これら振動ユニット、シャーシ、被覆材を覆うカバー材からなり、前記被覆材に、弾性と断熱性を有するクッション材を用いてなることを特徴とする。
【００１１】
請求項２に係るものは、請求項１の振動マッサージ器において、前記クッション材が、１個以上の放熱用の開口あるいは穴、凹みを有することを特徴とする。
【００１２】
請求項３に係るものは、請求項１または２の振動マッサージ器において、前記クッション材が発泡材であることを特徴とする。
【００１３】
請求項４に係るものは、請求項３の振動マッサージ器において、前記発泡材が発泡ウレタンであることを特徴とする。
【００１４】
請求項５に係るものは、請求項１から４のいずれかの振動マッサージ器において、前記駆動源としてソレノイドを用いることを特徴とする。
【００１５】
請求項６に係るものは、請求項１から５のいずれかの振動マッサージ器において、全体概観の平面形状が矩形または略矩形で、少なくとも前記振動ユニットを収納可能な高さ寸法を有する薄い直方体状のマット形態を有することを特徴とする。
【００１６】
請求項７に係るものは、請求項１から５のいずれかの振動マッサージ器において、全体概観の平面形状が矩形または略矩形以外の形状で、少なくとも前記振動ユニットを収納可能な高さ寸法を有する薄い直方体状のマット形態を有することを特徴とする。
【００１７】
請求項８に係るものは、請求項１から７のいずれかの振動マッサージ器において、前記カバー材に１個以上の持ち手部を形成してなることを特徴とする。
【００１８】
請求項９に係るものは、請求項８の振動マッサージ器において、前記持ち手部を高さ方向をなす側面のうちの相隣る２側面にそれぞれ設けてなることを特徴とする。
【発明の効果】
【００１９】
本発明によれば、熱伝導率が高い金属シャーシを介在させることで、駆動源や駆動源であるソレノイドからの熱は先ずシャーシ全体に効率良く伝わり、シャーシ全体が熱源となることで、放熱面が格段に広くなり、冷却効果を高めることができ、さらに金属シャーシを介在させたことで駆動源のフレームが剛体に固定される結果となり、タタキ玉のたたき力が強くなるという効果を奏する。
【図面の簡単な説明】
【００２０】
【図１】従来公知のマッサージ器のタタキ玉の周囲構造を示す透視図
【図２】本発明のマッサージ器の基本構造であるタタキ玉の周囲構造を示す透視図
【図３】同駆動源であるソレノイドとタタキ玉の駆動構造を示す断面図
【図４】本発明のマッサージ器の実施例を示す透視図
【図５】同電気系統図
【図６】本発明のマッサージ器の駆動源の位相制御例の内容を示す説明図
【図７】本発明の実施例に係るマッサージ器の使用例を示す説明図
【発明を実施するための形態】
【００２１】
本発明は、従来技術ではタタキ玉の駆動源であるソレノイドの作動に伴う発熱をサーマルプロテクタによって遮断する方式であったが、この方式は安全面や使用面で問題がある点にかんがみ、駆動源であるソレノイドとこれを囲繞する発泡体等の被覆材との間に金属シャーシを介在させることに特徴がある。
【実施例１】
【００２２】
以下、本発明の実施例を図面に基づいて説明する。なお以下では図１に示す従来の例と共通する部分には共通する符号を付して説明する。
【００２３】
図２は、本発明のマッサージ器の基本構造であるタタキ玉の周囲構造を示す透視図である。図中１はタタキ玉、２はソレノイド、２ａはそのプランジャ、３は磁界発生用のコイル、４はソレノイドフレーム、５はサーマルプロテクタ、６は発泡ウレタンカバーである。なお、実際にマッサージ器として使用する際は、この構造のものをひとつの要素とし、これを複数個用い、カバー材などの内部に収納して一つの装置として用いる。タタキ玉１は、従来の例と同様に、上面が球状を呈し、下面が平面をなすものであるが、本発明で使用するタタキ玉はこの形状のものに限定されず、種々公知、周知の形状のものを採用できる。
【００２４】
発泡ウレタンカバー６で、位相制御された電力の供給を受け駆動されるソレノイド２の全体、その他を包み、そのクッション性と断熱性とを利用し、マッサージ器を使用する際のソレノイド２の発熱が使用者に伝わりにくいようにしている点では従来の例と同様である。
【００２５】
ただし従来の例と異なり、ソレノイド２と発泡ウレタンカバー６との間に金属シャーシ１０を介在させるという特徴を有している。これは、
（１）熱伝導率が高い金属シャーシ１０を介在させることで、ソレノイド２からの熱が先ず金属シャーシ１０全体に効率良く伝わり、
（２）金属シャーシ１０全体が、いわば熱源となることで従来の例と比べれば放熱面が格段に広くなり、冷却効果が高まり、
（３）発泡ウレタンカバー６に、金属シャーシ１０と外装材である合成皮革などからなる外被カバー（図示せず）とを結ぶ多数の開放穴１１を設けることで、さらに冷却効果が高まる。
【００２６】
なお、開放穴１１は、図示の例では上下方向に４個、水平方向に１個設けるように描いてあるが、これは単なる一例であって、本発明がこの例のものに限定されることはなく、設計的に最適の個数、位置、開口面積等を選択すればよい。また金属シャーシ１０と外装材である外被カバーに対してそれぞれ直接的に開口するものである必要は無く、穴のように底部が存在する構造であっても良い。要するに、熱を外部へ放出する経路としての開口部分、穴部分があればよく、図示の例には限定されない。
【００２７】
また、本実施例では、
（１）金属シャーシ１０を介在させたことでソレノイドフレーム４が剛体に固定される（図示の例ではネジ止めしてある）結果となり、タタキ玉１のたたき力が強くなり、
（２）従来通りの電力を供給するとタタキ力が強くなり過ぎてしまうので、供給電力を抑えて強度を調整する方法を採用したが、これが、結果的に省電力につながり、ソレノイド２の発熱をいっそう低減させることができた。
（３）さらに、従来は一定時間にわたって使用するとソレノイド２の温度上昇の制約から、それまでの使用時間あるいはそれ以上の休止時間が必要であったが、本実施例では温度についての制約が解消され、長時間の連続使用が可能となった。
【００２８】
図３は駆動源であるソレノイド２とタタキ玉１の駆動構造を示す断面図である。ソレノイド２のプランジャ２ａ先端には戻しバネ１２が設けてあり、ソレノイドフレーム４の上面とタタキ玉１の下面との間に配してあり、この戻しバネ１２の力を適宜選択することでもタタキ玉１のタタキ力を調整できる。なお、ソレノイドフレーム４中には、コイルボビン１３、コイル１４、リードワイヤ１５等が配してあるが、これらはソレノイド２としては周知の要素であるので符号を付すにとどめ、説明を省略する。
【００２９】
なお図３（Ｂ）は、ソレノイド回路の構成を示す概念図である。
【００３０】
図４は、本発明のマッサージ器の実施例を示す透視図である。本実施例のマッサージ器３０は、最外装をレザーカバー３１で覆い、その内側をクッション性と断熱性を有する発泡ウレタンカバー６で満たし、中核部に上述したソレノイド２その他の要素からなるタタキ玉１とその周囲構造（以下、タタキ玉構造４０と言う。）を６個を配置して構成してある。また発泡ウレタンカバー６内には回路ボックス４１が配置してあり、各タタキ玉構造４０からのリードワイヤ１５がこの回路ボックス４１に接続し、回路ボックス４１からは商用電源へ接続するための電源コード及びプラグ４２と、外部からの操作用のリモコン４３へ接続するためのワイヤ４４が導出されている。
【００３１】
本実施例では、６個のタタキ玉１・・・をレザーカバー３１を介して、さらには衣服を介してあるいは直接に人体の施療部位に当てて使用する。もちろん、使用に当たっては衣服やタオルなどを用い、人体の施療部位が直接にレザーカバー３１に触れないようにするほうが好ましいが、これは使用者の好みであるので、如何様な使用形態も可能である。
【００３２】
図５は本発明のマッサージ器の実施例で採用した電気系統図、図６は、本発明のマッサージ器の駆動源の位相制御内容を示す説明図である。回路ボックス４１は、大まかには、マイクロコンピュータ５０、電源回路５１、ドライブ回路５２そして商用電源から供給される電力の変動をカットするためのノイズフィルタ５３を備え、実際の使用時には、リードワイヤ１５を介して接続したリモコン４３を操作して、タイマー等の図示しない制御回路、制御プログラム等により、自動オフとなるまでの間、多様なタタキパターンを継続し続けることができるようになっている。
【００３３】
各ソレノイド２は、マイクロコンピュータ５０を利用した制御によってそれぞれ別の時間と強度で駆動でき、全体としは協調のとれたタタキ、あるいは使用者の好みに合わせたタタキを提供できるようになっている。例えば、リモコン４３によって、モード(背中/足裏)選択、始動/停止、強/中/弱、を選択し、かつ好みのタタキ制御を行わせることができる。ただし、このようなタタキ制御について公知、周知の例が多数あるので、適宜それを採用すればよく、説明は省略する。なお図６に示す本発明のマッサージ器の駆動源の位相制御例の内容は、位相制御の説明のための図であって、本発明の駆動源の駆動制御をこの種の制御で行わなければならないというものではない。
【００３４】
なお、本実施例では、座布団あるいは平坦なクッションシート状の概観を有するものとし、レザーカバー３１の２つの側面（平置きした状態で縦になる側面であってかつ隣り合う側面）に搬送用の持ち手５５を設けてあり、使用者は好きな場所へ運んで、好みの形態で使用できるようにしてある。
【００３５】
図７は、本発明の実施例に係るマッサージ器の使用例を示す説明図である。（Ａ)は、使用者６０が椅子６１の背もたれ部分６２において背中をマッサージしている使用例、（Ｂ）は背もたれのない腰掛６３に座った使用者６０が足の下に置いて足裏をマッサージしている使用例、（Ｃ）は、寝ている状態の使用者６０の背中あたりに配置してマッサージしている使用例（図中３０ａは補助マットであり、例えば座布団や、クッション等も使用できる）、（Ｄ）は、上述してきたマッサージ器３０を二つつなげて、例えば（Ｃ）と同様に使用できるようにした例、（Ｅ)は、二つつなげたマッサージ器３０を折りたたんで枕などのように使用できるようにした例を示す。使用形態は、このほか、使用者が種々工夫して自分にあう使い方を見つければよいものであって、図示の例は単なる一例である。
【符号の説明】
【００３６】
１：タタキ玉
２：ソレノイド
２ａ：プランジャ
３：磁界発生用のコイル
４：ソレノイドフレーム
５：サーマルプロテクタ
６：発泡ウレタンカバー
１０：金属シャーシ
１１：開放穴
１２：戻しバネ
１３：コイルボビン
１４：コイル
１５：リードワイヤ
３０：マッサージ器
３１：レザーカバー
４０：タタキ玉構造
４１：回路ボックス
４２：電源コード及びプラグ
４３：操作用のリモコン
４４：ワイヤ
５０：マイクロコンピュータ
５１：電源回路
５２：ドライブ回路
５３：ノイズフィルタ
５５：持ち手
６０：使用者
６１：椅子
６２：椅子の背もたれ部分
６３：背もたれのない腰掛
【図１】
2011067408.tif 000003
【図２】
2011067408.tif 000004
【図３】
2011067408.tif 000005
【図４】
2011067408.tif 000006
【図５】
2011067408.tif 000007
【図６】
2011067408.tif 000008
【図７】
2011067408.tif 000009